(57)【要約】【課題】季節性感情障害や季節性糖尿病等に対する光療法に用いられ、患者（使用者）の使用開始時の違和感やストレスを軽減して治療の継続を容易にする光治療器を提供する。【解決手段】照明部３と、この照明部３の点灯及び消灯及び照度を制御する制御部４を備えた本体部２とを有し、本体部２は、現在時刻を登録するための現在時刻設定部６と、照明部３の点灯開始時刻及び消灯時刻を設定するとともに，照明部の最高照度を設定し、制御部４へ設定値を送信する自動点灯設定部８と、照明部３の点灯開始時の照度をその点灯時開始時毎に点灯回数に応じて段階的に上昇させる際の照度ピッチを設定し、制御部４へ設定値を送信する照度上昇速度設定部９と、照明部３の点灯開始時刻を点灯回数に応じて段階的に繰り上げる際の時刻ピッチを設定し、制御部４へ設定値を送信する点灯開始時間繰上速度設定部１０と、を備えることを特徴とする光治療器１ａによる。【選択図】図１
2010220672.tif 000002
【特許請求の範囲】
【請求項１】
発光ダイオード（ＬＥＤ）を備えた照明部と、この照明部の点灯開始時刻及び消灯時刻，及び，照度を制御する制御部を備えた本体部とを有し、
前記本体部は、前記制御部に設けられる記憶領域に現在時刻を登録するための現在時刻設定部と、
前記照明部の点灯開始時刻及び消灯時刻を設定するとともに，前記照明部の経時照度を設定し、前記制御部へ設定値を送信する自動点灯設定部と、
前記照明部の点灯時の最終照度（最高照度）をその点灯時開始時毎に点灯回数に応じて段階的に上昇させる際の照度ピッチを設定し、前記制御部へ設定値を送信する照度上昇速度設定部と、
前記照明部の点灯開始時刻を点灯回数に応じて段階的に繰り上げる際の時刻ピッチを設定し、前記制御部へ設定値を送信する点灯開始時間繰上速度設定部と、を備えることを特徴とする光治療器。
【請求項２】
前記制御部は、前記記憶領域に、前記照明部の制御履歴データを読み出し可能に格納することを特徴とする請求項１に記載の光治療器。
【請求項３】
前記本体部に着脱可能に取設される外部メモリ部を有し、前記自動点灯設定部は、前記照明部の点灯開始時刻，消灯時刻及び経時照度の設定値を、前記照度上昇速度設定部は、前記照度ピッチの設定値を、前記点灯開始時間繰上速度設定部は、前記時刻ピッチの設定値を、前記外部メモリに読み出し可能に格納することを特徴とする請求項１又は請求項２に記載の光治療器。
【請求項４】
前記外部メモリ部は、前記照明部の制御履歴データを格納する作動状況記憶領域を備え、前記制御部は、前記作動状況記憶領域に、前記照明部の制御履歴データを読み出し可能に格納することを特徴とする請求項３記載の光治療器。
【発明の詳細な説明】
【技術分野】
【０００１】
本発明は、季節性感情障害や睡眠覚醒障害などの生体リズム異常に起因する病気や障害に対する治療器として用いられる光治療器、さらには、糖尿病あるいは糖尿病の中でも冬期に血糖コントロールが悪化する季節性を示す糖尿病や肥満症の治療に対する治療器として用いられる光治療器に係り、その使用開始時（なかでも光治療導入時）に使用者が感じる違和感やストレスを軽減することのできる光治療器に関する。
【背景技術】
【０００２】
従来、季節性感情障害やうつ病、あるいは睡眠覚醒障害等の病気や障害に対しては、位相後退をおこしている生体リズムを、位相前進作用のある時間帯、例えば、明け方、日の出前の早朝に、光を照射することにより、位相を前進、同調させる、光療法と呼ばれる治療法の効果が認められている。光療法には、高照度光を位相前進作用のある時間帯に照射する高照度光療法と、晩春から初夏の時期の（日の出時刻ごろの）日照環境をまねる擬似夜明け療法とがあり、白熱ランプや蛍光灯を光源とした種々の光治療器が開発されている。
さらに、季節性感情障害を患っている患者は、往々にして摂食障害をも伴っている場合が多く、これにともなって季節性感情障害患者の診察には、精神科医と連携のうえ、内科医が血糖値測定など内科的観点からも検査・診察を行ってきた。そうした中、発明者らは、季節性感情障害同様、糖尿病に季節性を示す患者に、糖尿病の重要な指標であるグリコヘモグロビン（＝ＨｂＡ１ｃ）値が、秋から冬に高値になる患者がいることに気づいた。そこで、医学界では認知されていないが、上述のように、糖尿病患者の中で、冬期に血糖コントロールが悪化する（グリコヘモグロビン含有％が高くなる）といった、季節性を示すような糖尿病を、本願明細書では、季節性糖尿病と定義する。
上述のような季節性感情障害や季節性糖尿病を改善するための治療装置に関する発明がいくつか開示されている。
【０００３】
特許文献１には「光治療器」という名称で、季節性感情障害や季節性糖尿病を改善するための治療装置に関する光治療器が開示されている。
特許文献１に開示される発明は、光治療器を用いた擬似夜明け療法において、患者である使用者と光治療器の距離が変わっても、患者に治療上必要とされる光度の光を照射することができるよう構成されるものである。
このような特許文献１に開示される発明によれば、患者のいる位置から離れた場所に光治療器を設置した場合でも、治療に必要な照度の光を患者に確実に照射することができ、光の照射時の光度の不足により治療効果が低減するのを防止することができるという効果を有する。
【０００４】
特許文献２には「睡眠制御装置、方法およびプログラム」という名称で、快適に目覚めることのできるタイミングで被験者を目覚めさせることのできる睡眠制御装置に関する発明が開示されている。
特許文献２に開示される発明は、被験者に対して、そのノンレム睡眠の検出時に第１の刺激（例えば、光等）を与え、その後、先の第１の刺激よりも刺激強度の強い第２の刺激を被験者に与えることができるよう構成されるものである。
このような特許文献２に開示される発明によれば、被験者を快適に目覚めることのできるタイミングで目覚めさせることができるという効果を有する。
【０００５】
特許文献３には「照明装置及び該照明装置を備えたベッド」という名称で、就寝者が就寝する就寝空間の照明を行う照明装置及びこの照明装置を備えたベッドに関する発明が開示されている。
特許文献３に開示される発明は、照明装置及びその照明装置を備えたベッドにおいて、就寝者が快適に覚醒するための照明開始時刻、照度や波長などは、その就寝者の状況によって異なるとし、覚醒用照明手段の照明開始時刻、就寝者の眼の付近に対応した位置の照度及び波長の少なくとも一つを、就寝者の個人差、好み、体調及び環境などに応じて適宜設定できるよう構成したことを特徴とするものである。
このような特許文献３に開示される発明によれば、就寝者が覚醒する際の快適性を向上させることができる。
【先行技術文献】
【特許文献】
【０００６】
【特許文献１】特開２００８−２４５８３６号公報
【特許文献２】特開２００８−２２９２４８号公報
【特許文献３】特開２００７−２９４１４３号公報
【発明の概要】
【発明が解決しようとする課題】
【０００７】
特許文献１に開示される発明においては、照度設定機能を利用して、任意の使用日における光治療器の起床照度値をその前日の起床照度値よりも高く設定することは可能であるが、毎日、光治療器の使用時毎に段階的にその照度を上昇させたい場合、使用者である患者自身が起床照度値の設定の変更を毎日行う必要があり、極めて煩雑であった。特に、患者が季節性感情障害を患っている場合、日常のあらゆる事柄に対して低意欲状態となってしまう場合があり、この場合、光治療器を使用した治療を開始したとしても、十分な装置知識を備えていない患者の場合には設定作業を行うことが困難で、良好な治療効果が期待できない可能性も否定できないという課題があった。
【０００８】
特許文献２に開示される発明においては、被験者にとって快適な覚醒を促すという効果は期待できるものの、上述のような季節性感情障害や季節性糖尿病の症状を有する患者に対して、生体リズムを矯正して症状を改善するという効果が期待できるものではなかった。
【０００９】
特許文献３に開示される発明は、目覚めをもたらす光の照射強度を２４時間のサイクル内において上昇させること可能であるが、発光開始時の照度は毎日同じであり、目覚めをもたらす光の照射強度を使用時毎に低照度から段階的に上昇させるという技術内容を有するものではなかった。
【００１０】
本発明はかかる従来の事情に対処してなされたものでありその目的は、季節性感情障害や季節性糖尿病等の生体リズムのズレに起因して生じる季節性障害の治療に用いる光治療器において、生体リズムの位相後退を矯正する光の照射開始時間を自動で点灯回数に応じて繰り上げるとともに、照射開始時の照度を点灯回数に応じて段階的に自動で上昇させることで、使用者の使用開始時の違和感やストレスを軽減することのできる光治療器を提供することにある。
【課題を解決するための手段】
【００１１】
上記目的を達成するため請求項１記載の発明である光治療器は、発光ダイオード（ＬＥＤ）を備えた照明部と、この照明部の点灯開始時刻及び消灯時刻，及び，照度を制御する制御部を備えた本体部とを有し、本体部は、制御部に設けられる記憶領域に現在時刻を登録するための現在時刻設定部と、照明部の点灯開始時刻及び消灯時刻を設定するとともに，照明部の経時照度を設定し、制御部へ設定値を送信する自動点灯設定部と、照明部の点灯時の最終照度（最高照度）をその点灯時開始時毎に点灯回数に応じて段階的に上昇させる際の照度ピッチを設定し、制御部へ設定値を送信する照度上昇速度設定部と、照明部の点灯開始時刻を点灯回数に応じて段階的に繰り上げる際の時刻ピッチを設定し、制御部へ設定値を送信する点灯開始時間繰上速度設定部と、を備えることを特徴とするものである。
上記構成の発明において、照明部は使用者に光を照射して擬似的に夜明けを体験させるという作用を有する。
また、本体部は照明部を支持固定するとともに、照明部の点灯及び消灯,並びに,照明部の照度に関する各種設定を可能にするという作用を有する。より具体的には、現在時刻設定部は、制御部に設けられる記憶領域に現在時刻を登録させるという作用を有する。また、自動点灯設定部は、照明部の点灯開始時刻及び消灯時刻を設定するとともに，照明部の経時照度を設定し、制御部へ設定値を送信するという作用を有する。
さらに、照度上昇速度設定部は照明部の点灯時の最終照度（最高照度）をその点灯時開始時毎に点灯回数に応じて段階的に上昇させる際の照度ピッチを設定し、制御部へ設定値を送信するという作用を有する。そして、点灯開始時間繰上速度設定部は、照明部の点灯開始時刻を点灯回数に応じて段階的に繰り上げる際の時刻ピッチを設定し、制御部へ設定値を送信するという作用を有する。
上述のような請求項１記載の発明は、予め設定され時刻から一定時間の間、照明部から使用者に光を照射して擬似的に夜明けを体験させるとともに、その際、照明部の点灯開始時刻を予め設定された時刻ピッチに従って段階的に自動で繰り上げると同時に、点灯開始時の照度を予め設定された照度ピッチに従って段階的に自動で上昇させるという作用を有する。
【００１２】
請求項２記載の発明である光治療器は、請求項１に記載の光治療器であって、制御部は、記憶領域に、照明部の制御履歴データを読み出し可能に格納することを特徴とするものである。
上記構成の発明は、請求項１記載の発明と同じ作用に加えて、制御部は記憶領域に照明部の制御履歴データを読み出し可能に格納するという作用を有する。
【００１３】
請求項３記載の発明である光治療器は、請求項１又は請求項２に記載の光治療器であって、本体部に着脱可能に取設される外部メモリ部を有し、自動点灯設定部は、照明部の点灯開始時刻，消灯時刻及び経時照度の設定値を、照度上昇速度設定部は、照度ピッチの設定値を、点灯開始時間繰上速度設定部は、時刻ピッチの設定値を、外部メモリに読み出し可能に格納することを特徴とするものである。
上記構成の発明は、請求項１又は請求項２記載の発明と同じ作用に加えて、外部メモリ部は、照明部の点灯開始時刻，消灯時刻及び経時照度の設定値及び、照度ピッチの設定値、及び時刻ピッチの設定値を読み出し可能に格納すると作用を有する。この結果、請求項３記載の発明は、上述のような様々な設定値を本体部に着脱可能に取設される外部メモリ部に格納にすることで、請求項３記載の光治療器以外の外部機器（例えば、パーソナルコンピュータなど）においてこれらの設定値の変更を可能にするという作用を有する。
【００１４】
請求項４記載の発明である光治療器は、請求項３記載の光治療器であって、外部メモリ部は、照明部の制御履歴データを格納する作動状況記憶領域を備え、制御部は、作動状況記憶領域に、照明部の制御履歴データを読み出し可能に格納することを特徴とするものである。
上記構成の発明は、請求項３記載の発明と同じ作用に加えて、外部メモリ部は照明部の制御履歴データを格納する作動状況記憶領域を備え、この作動状況記憶領域に照明部の制御履歴データを読み出し可能に格納するという作用を有する。
つまり、請求項４記載の発明においては、外部機器による各種設定値（照明部の点灯時刻,消灯時刻及び経時照度の設定値、照度ピッチの設定値、時刻ピッチの設定値）を変更可能にするとともに、照明部の制御履歴データを読み出して確認することを可能にするという作用を有する。
【発明の効果】
【００１５】
本発明の請求項１記載の発明によれば、季節性感情障害や季節性糖尿病等の季節性の障害を患っている患者（使用者）に日の出前の予め設定された時刻から一定時間、照明部により光を照射することで患者に擬似的に夜明けを体験させて、生体リズムの位相の矯正を促すことができる。加えて、請求項１記載の発明においては、照度上昇速度設定部及び点灯開始時間繰上速度設定部を備えることで、自動で、照明部の点灯時の最終照度（最高照度）をその点灯時開始時毎に点灯回数に応じて段階的に上昇させるとともに、照明部の点灯開始時刻を点灯回数に応じて段階的に繰り上げることができるという効果を有する。
この結果、患者（使用者）が主に請求項１記載の光治療器の使用開始時に感じる違和感やストレスを、より具体的には、起床前に感じる眩しさ等による不快感を軽減するとともに、十分な治療効果が期待できる照明部の照射開始時刻や照度に対して徐々に体を慣らすことができるという効果を有する。
すなわち、請求項１記載の光治療器を用いて患者（使用者）の生体リズムの位相の矯正を、使用者のペースに合わせてゆっくりと行うことができるという効果を有する。
これにより、請求項１記載の光治療器の使用開始時に感じる違和感やストレスによる治療そのものに対する拒否感を低減することができ、患者（使用者）は苦痛を感じることなく請求項１に記載の光治療器を用いた治療を継続することができる。この結果、季節性感情障害や季節性糖尿病等の症状を改善することができるという効果を有する。
また、請求項１記載の発明によれば、照明部の点灯時の最終照度（最高照度）をその点灯時開始時毎に点灯回数に応じて段階的に上昇させたり、照明部の点灯開始時刻を段階的に繰り上げるために患者（使用者）が毎日設定値を変更する必要がないので、請求項１記載の光治療器を用いる際の患者（使用者）の負担を大幅に軽減することができる。
この結果、特に季節性感情障害を患う患者が著しい意欲減退の症状をかかえる場合でも、労せず請求項１記載の光治療器を用いた治療を実施及び継続することができるという効果を有する。
【００１６】
また、請求項２記載の発明は、請求項１記載の発明と同じ効果に加え、記憶領域に照明部の制御履歴データを読み出し可能に格納することで、患者（使用者）又は医師（治療者）は照明部の制御履歴データを読み出してその内容を確認することができるという効果を有する。
この結果、現時点の請求項２記載の光治療器の点灯開始時刻やその際の照度が、季節性感情障害や季節性糖尿病の症状改善に十分な効果を発揮しているか否か、又は、患者（使用者）の負担になっていないか否かを確認できるようにするとともに、以後、請求項２記載の光治療器を用いた治療計画を立てる際の参考資料とすることができるという効果を有する。
従って、請求項２記載の発明によれば、患者（使用者）の症状に応じてきめ細かな治療計画を立てることが可能となり、治療効果として症状が改善される可能性を一層高めることができるという効果を有する。
【００１７】
請求項３記載の発明は、請求項１又は請求項２記載の発明と同じ効果に加えて、照明部の点灯時刻,消灯時刻及び経時照度の設定値、照度ピッチの設定値、時刻ピッチの設定値を外部メモリに読み出し可能に格納にすることで、外部機器による照明部の点灯時刻,消灯時刻及び経時照度の設定値、照度ピッチの設定値、時刻ピッチの設定値の変更を可能にすることができるという効果を有する。
この場合、例えば、医師（治療者）の診察の際に患者（使用者）が外部メモリを持参することで、医師は外部機器（例えばパーソナルコンピュータ等）を用いて請求項３記載の光治療器の設定値を、その患者の症状に適した設定値に変更して外部メモリに再度格納することができる。
そして、患者（使用者）は医師（治療者）が処方した設定値に基づいて請求項３記載の光治療器を作動させて治療を行うことも可能になる。この場合、請求項３記載の光治療器の設定値の変更を患者ではなく医師が直接行うことができるようになるので、医師が患者に対して最適な治療を施すことができるだけでなく、使用者の入力ミス等により請求項３記載の光治療器が医師の意図しない作動（治療に寄与しない時刻の点灯や、患者が違和感を覚える照度設定など）をするおそれがなく治療効果の向上が期待できる。
【００１８】
請求項４記載の発明は、請求項３記載の発明と同じ効果に加えて、外部メモリに照明部の制御履歴データを格納することができるので、外部において請求項４記載の光治療器の作動状況を請求項４記載の光治療器に直接アクセスすることなく確認することができるという効果を有する。
この場合、例えば、使用者（患者）が、医師の監督のもとに請求項４記載の光治療器を用いて治療を行う場合に、医師は使用者（患者）が自宅に設置している請求項４記載の光治療器を直接操作することなくその作動状況を確認することが可能になる。
この結果、請求項４記載の光治療器を用いた治療計画の変更や検討をより効果的かつスムースに行うことができるとともに、使用者（患者）は治療者に対して請求項４記載の光治療器の使用状況を口頭で説明する必要がないので、診察時の使用者（患者）側の負担も大幅に軽減することができる。
【図面の簡単な説明】
【００１９】
【図１】本発明の実施例１に係る光治療器のシステム構成図である。
【図２】本発明の実施例１に係る光治療器の概念図である。
【図３】本発明の実施例１に係る光治療器の操作部の拡大図である。
【図４】操作部の処理キーを押した際の設定モードの切替え順序を示すフローチャートである。
【図５】本発明の実施例１に係る光治療器の通常モードにおける表示部の表示画面の一例を示す図である。
【図６】実施例１に係る光治療器において照明部の最高照度を複数段階に設定した際の照度の経時変化示すグラフである。
【図７】本発明の実施例１に係る光治療器の照度上昇速度設定モードの設定画面の一例を示す図である。
【図８】本発明の実施例１に係る光治療器の点灯開始時刻繰上速度設定モードの設定画面の一例を示す図である。
【図９】本発明の実施例２に係る光治療器のシステム構成図である。
【図１０】本発明の実施例３に係る光治療器のシステム構成図である。
【発明を実施するための形態】
【００２０】
本発明の実施の形態に係る光治療器について実施例１乃至実施例３を参照しながら詳細に説明する。
【実施例１】
【００２１】
以下に、本発明の実施例１に係る光治療器について図１乃至図７を参照しながら詳細に説明する。
図１は本発明の実施例１に係る光治療器のシステム構成図であり、図２は本発明の実施例１に係る光治療器の概念図である。
実施例１に係る光治療器１ａは、生体リズムが位相後退することにより起こるとされる季節性感情障害やうつ病、睡眠覚醒障害等の病気や障害、あるいは季節性糖尿病を持つ患者（使用者）に対して、生体リズムの位相前進作用のある時間帯、例えば、明け方，夜の後半，に光を照射して生体リズムの位相を前進，同調させる（矯正する）光療法と呼ばれる治療法に用いられる光照射装置であり、図１に示すように、光を発する照明部３と、この照明部３の点灯と消灯，並びに、照明部３の照度を制御する制御部４を備える本体部２により構成される。
さらに、この本体部２は、図１に示すように、照明部３を制御する際の中枢部として機能しかつ記憶領域（図示せず）をも備える制御部４と、この制御部４に接続される電源スイッチ５、現在時刻設定部６、自動点灯スイッチ７、自動点灯設定部８、照度上昇速度設定部９、点灯開始時刻繰上速度設定部１０、制御用電源１２及び、制御部４からの信号を受けて光源部１１に電力を供給する際に、電圧の設定を行う電圧設定部１３及びそのための電流の制限を行う電流制限設定部１４を備えるものである。
なお、実施例１に係る光治療器１ａは、上述のような構成に加えて、照明部３を構成する光源部１１を発光させるための電力を供給する光源用電源１５を備えている。
【００２２】
また、このような実施例１に係る光治療器１ａは、図２に示すように、筐体内に制御部４及び、制御部４に接続される各種設定部（現在時刻設定部６、自動点灯設定部８、照度上昇速度設定部９、点灯開始時刻繰上速度設定部１０）及び照明部３に供給する電力を制御する制御機構（電圧設定部１３及び電流制限設定部１４）、そして、制御用電源１２及び光源用電源１５が収容された本体部２の表面に、表示部１７及び操作ボタン２２を備えた操作部１６が設けられ、さらに、本体部２の胴部の前方側に電源スイッチ５の具体的な様態として電源スイッチ１８、及び、自動点灯スイッチ７の具体的な様態として自動点灯スイッチ１９を備えている。また、本体部２の胴部には外部メモリ部差込口２０が形成されており、この外部メモリ部差込口２０には外部メモリ部（図示せず）が取設されるが、この機能については後述する。なお、照明部３は支持アーム部２１を介して本体部２に取付けられている。
【００２３】
上述のような光治療器１ａにおいて、本体部２に設けられる電源スイッチ５（電源スイッチ１８）は光治療器１ａ全体の電源の「ＯＮ」，「ＯＦＦ」を切替えるという作用を有する。また、現在時刻設定部６により、制御部４に設けられる記憶領域に現在時刻を登録することができる。さらに、自動点灯スイッチ７（駆動部１９）は、予め設定された設定値に基づいて、実施例１に係る光治療器１ａの照明部３を自動で点灯及び消灯させる機能の「ＯＮ」，「ＯＦＦ」を切り替えるという作用を有する。
さらに、実施例１に係る光治療器１ａにおいて、自動点灯設定部８は、照明部３を自動で点灯，消灯させる際の、点灯開始時刻及び消灯時刻、及び、照明部３から照射される光の最終照度（最高照度）の設定を点灯開始時刻から消灯時刻まで時間に合わせて可能としその設定値を制御部４に送信するという作用を有する。
そして、照度上昇速度設定部９は、照明部３の最高照度をその点灯時開始時毎に点灯回数に応じて段階的に上昇させる際の照度ピッチを設定するとともに、この設定値を制御部４に送信するという作用を有する。
さらに、点灯開始時刻繰上速度設定部１０は、照明部３の点灯開始時刻を点灯回数に応じて段階的に繰り上げる際の時刻ピッチを設定し、この設定値を制御部４に送信するという作用を有する。
【００２４】
図１及び図２に示す実施例１に係る光治療器１ａによれば、自動点灯スイッチ７及び自動点灯設定部８を備えることで、電源スイッチ５がＯＮになっている場合に、光治療器１ａの照明部３を毎日予め設定された時刻から一定時間、所望の経時照度で発光させることができるという効果を有する。
加えて、照度上昇速度設定部９を備えることで、照明部３の点灯時の最高照度をその点灯時開始時毎に点灯回数に応じて段階的に上昇させることができるという効果を有する。また、点灯開始時刻繰上速度設定部１０を備えることで、照明部の点灯開始時刻を点灯回数に応じて段階的に繰り上げる（早める）ことができるという効果も有する。
【００２５】
光治療器を用いる光療法は、日長が短くなる冬季の日の出前に患者（使用者）に人工的に光を照射して擬似的に夜明けを体験させることで体の生体リズムを夏型に移行させ、感情障害や糖尿病等の症状を緩和するという治療方法である。このため、患者（使用者）は、冬季の日の出前に数時間程度、朝日を模した強い光を顔面に浴びる必要がある。
その一方で、体の生体リズムが位相後退を起こしている患者に、日の出前の早朝にいきなり高照度の光の照射を開始すると、急激な環境の変化がストレスになり、患者の治療（光治療器の使用）に対する意欲が失われてしまったり、最悪の場合、治療が拒否される場合もあり症状の改善が期待できなくなってしまう場合があった。
このような課題への対策としては、光治療器の使用開始時（なかでも特に光治療導入時）の最高照度を患者（使用者）が違和感やストレスを感じない程度の弱いものとして段階的に照度を高めていき、かつ、照明部３の点灯時刻をそれまでの患者（使用者）の起床時間に近い時刻から段階的に早めて行くことが望ましい。
しかしながらこの場合、従来の光治療器やそれに類する装置では、患者（使用者）が毎日、光治療器の点灯開始時刻や点灯時の最高照度の設定を変更する必要があり極めて煩雑であった。特に、意欲減退の症状が認められる患者（使用者）にとってはその設定作業を行うこと自体が困難なため、治療が中断してしまい症状の改善が期待できなくなるケースもあった。
【００２６】
そこで発明者らは鋭意研究の結果、光治療器の使用開始時に、自動で照明部３の点灯開始時の照度を低い状態から症状の改善が期待できる高い状態（約５０００ルクス）にまで段階的に上昇させる機能、および、照明部３の点灯開始時刻を自動で段階的に繰り上げて症状の改善が期待できる点灯開始時刻に移行させることができる機能を付与することで、治療開始時の患者（使用者）のストレスを大幅に緩和することができ、無理なく治療を継続させることができることを見出したのである。
従って、実施例１に係る光治療器１ａにおいては、光治療器１ａを目的とする経時照度（症状の改善効果が期待できる経時照度）で所定の時刻に自動点灯させるという基本的な機能に加えて、照度上昇速度設定部９及び点灯開始時刻繰上速度設定部１０を備えることで、患者（使用者）にストレスや違和感を与えることなく、無理なく光治療器１ａの使用を継続させることができるという効果を有する。
この結果、位相後退した状態にある患者（使用者）の生体リズムを少しずつ適正な状態（夏型）に徐々に移行させることができ、季節性感情障害やうつ、季節性糖尿病等の症状を緩和することができる。また、強い光が苦手な人や、早起きが苦手な人であっても、実施例１に係る光治療器１ａによる治療が可能になるので、実施例１に係る光治療器１ａを利用可能な患者（利用者）の数を増やすとともに、個々の患者（利用者）に対して薬物によらないか又は薬物が効果を示さない患者に対しても安全性の高い治療方法を提供することができるという効果を有する。
【００２７】
ここで、図３乃至７を参照しながら実施例１に係る光治療器１ａにおける各設定値の設定方法の一例を説明する。
図３は実施例１に係る光治療器の操作部の拡大図である。また、図４は操作部の処理キーを押した際の設定モードの切替え順序を示すフローチャートである。なお、図１又は図２に記載されたものと同一部分については同一符号を付し、その構成についての説明は省略する。
図３に示すように、実施例１に係る光治療器１ａの操作部１６は、主に表示部１７及び操作ボタン２２、さらに、自動点灯モードが選択されていることを示す自動点灯モード表示灯２３ａ、手動点灯モードが選択されていることを示す手動点灯モード表示灯２３ｂ、そして、電源スイッチ１８及び自動点灯スイッチ１９により構成されている。
また、操作ボタン２２は、処理キー２４，決定キー２５，取消又は戻るキー２６，プラスキー２７，マイナスキー２８により構成されており、処理キー２４は一回押されるごとに、図４に示すように、表示部１７の表示を通常モード３５，現在時刻設定モード３６，自動設定モード３７，照度上昇速度設定モード３８，点灯開始時刻繰上速度設定モード３９の順で順次切り替えるという作用を有する。
また、決定キー２５は、現在処理中の項目の処理から次の項目の処理に移る際にそれを指示する信号、又は、確認メッセージに対して「ＯＫ」を回答する信号を発するという作用を有する。
さらに、取消又は戻るキー２６は、現在処理中の項目の処理を中断して前の項目の処理に戻る際にそれを指示する信号、又は、確認メッセージに対して「ＮＯ」を回答する信号を発するという作用を有する。
そして、プラスキー２７は現在処理中の項目に対しカウントアップを指示する信号を、マイナスキー２８は現在処理中の項目に対しカウントダウンを指示する信号をそれぞれ発信するという作用を有する。
【００２８】
なお、図３にはスイッチの凸の状態を目視で確認することで、スイッチの「ＯＮ」「ＯＦＦ」の状態を確認できる電源スイッチ１８を備える場合を例に挙げて説明しているが、スイッチ自体に表示灯を内蔵し、スイッチに内蔵される表示灯の点灯又は消灯により電源スイッチ１８の「ＯＮ」「ＯＦＦ」が確認できるよう構成してもよい。また、実施例１に係る光治療器１ａでは、自動点灯スイッチ１９を押した場合に操作部１６の自動点灯モード表示灯２３ａが点灯し、再度自動点灯スイッチ１９を押した場合に自動点灯モード表示灯２３ａが消えて手動点灯モード表示灯２３ｂが点灯し手動点灯モードに切り替わる場合を例に挙げて説明しているが、電源スイッチ１８の場合と同様にスイッチ自体に表示灯を内蔵してその点灯と消灯により自動点灯スイッチ１９の「ＯＮ」「ＯＦＦ」の状態を確認できるよう構成してもよい。
なお手動点灯モードは、照明部３に設けられる図示しない点灯スイッチを患者（使用者）が直接操作して照明部３の点灯と消灯を切り替える作動状態を示している。
【００２９】
ここで、実施例１に係る光治療器１ａにおける各種設定値の設定方法について図５を参照しながら詳細に説明する。
図５は実施例１に係る光治療器の通常モードにおける表示部の画面表示の一例を示す図である。なお、図１乃至図４に記載されたものと同一部分については同一符号を付し、その構成についての説明は省略する。
図５に示すように、通常モード３５の場合、表示部１７の上段左上の現在時刻表示部２９に現在時刻が表示され、その隣に照度上昇速度設及び点灯開始時刻繰上設定の設定状況が簡潔に表示され、さらに、表示部１７の下段左側の照度レベル表示部３０には照明部３の点灯時の最高照度レベルが表示され、さらに、その隣の点灯開始時刻表示部３１及び消灯時刻表示部３２には現時点において設定されている照明部３の点灯開始時刻及び消灯時刻が表示されている。
なお、実施例１に係る光治療器１ａにおいては、例えば、照明部３の点灯時の最高照度をレベル１〜４の４段階に変更できるよう構成されている。
ここで図６を参照しながら実施例１に係る光治療器１ａにおいて照明部の最高照度を複数段階に設定した際の照度の経時変化について説明する。
図６は実施例１に係る光治療器において照明部の最高照度を複数段階に設定した際の照度の経時変化示すグラフである。なお、図３に示すグラフにおいて、Ｙ軸は照度（ルクス）を、Ｘ軸は照射時間（ｈ）を示している。
図６に示すように、実施例１に係る光治療器１ａにおいては、照明部３の最高照度をレベル１〜４のいずれに設定した場合でも、照射開始直後から２時間を経過するまでの照度上昇速度は同じであり、照射開始から４時間経過した時点で各レベルの最高照度に到達するよう設定されている。
また、実施例１に係る光治療器１ａにおいては、季節性の各種障害に対する治療効果が期待できる照度として５０００ルクスの光を照射することができる状態が最高のレベル４として設定され、以下、１０００ルクスずつ最高照度を低下させたものがそれぞれ照度レベル３、照度レベル２、照度レベル１として設定されている。なお、図６では照明部３の最高照度が１０００ルクスずつ上昇する毎に照度レベルが１ずつ上昇する場合を例に挙げて説明しているが、これ以外にも、５００ルクスずつあるいはもっと少ない単位で照度が上昇する毎に照度レベルが１ずつ上昇するよう設定してもよい。
また、実施例１に係る光治療器１ａは、夜明けの光環境を人工的に再現するための装置であるため、図６からも明らかなように、照明部３の照度は点灯開始直後は微弱であり時間の経過とともに徐々に照明部３の照度が上昇し予め設定された最高照度に達した後は照度が一定に保たれるよう設計されており、照明部３の点灯時の照度は必ずしも一定ではない。このため、本願においては、このように時間の経過とともに変化する照度を「経時照度」と記載して、照度の経時変化を伴わない一般的な「照度」と区別している。以下、他の実施の形態においても同様である。
【００３０】
実施例１に係る光治療器１ａにおける現在時刻の設定方法について図５を参照しながら説明する。
表示部１７に、図５に示すような通常モード３５が表示されている状態で、操作部１６の処理キー２４を１回押すと、現在時刻表示部２９が点滅を開始し、現在時刻設定モード３６に切り替わる。次いで、決定キー２５を１回押すと、現在時刻表示部２９の「時」の表示が点滅を開始するので、操作部１６のプラスキー２７及びマイナスキー２８を押して所望の数値を呼び出した後、決定キー２５を１回押すと現在時刻表示部２９の「時」の設定が完了する。
この操作が完了すると同時に今度は、現在時刻表示部２９の「分」の表示が点滅を開始するので、操作部１６のプラスキー２７及びマイナスキー２８を押して所望の数値を呼び出した後、再び決定キー２５を１回押すと現在時刻表示部２９の「分」の設定が完了する。そして、現在時刻表示部２９の「時」及び「分」の設定が完了すると、現在時刻表示部２９の点滅が止まるので作業が完了したことを確認することができる。
【００３１】
次に、自動点灯設定部８の設定方法について説明する、表示部１７が図５に示す通常モード３５の状態において処理キー２４を２回押すと、照度レベル表示部３０、点灯開始時刻表示部３１、消灯時刻表示部３２の全てが同時に点滅を開始する。この状態で、決定キー２５を１回押すと照度レベル表示部３０のみが点滅を始める。
そして、この状態でプラスキー２７を押すと、表示部１７に表示される最高照度レベル値が１段階ごとに上昇し、マイナスキー２８を押すと１段階ごとに最高照度レベル値が降下するので、これらを操作して所望の最高照度レベル値を呼び出す。この操作により目的とする最高照度レベルを選択した後、決定キー２５を１回押すことで照度レベルの設定は完了する。
これと同時に、次は点灯開始時刻表示部３１が点滅を開始するので、現在時刻表示部２９と同じ手順で照明部３の点灯開始時刻を設定する。この後、同様の手順で消灯時刻表示部３２についても設定する。
このように、それぞれの設定モードで数値等を設定した場合、その設定値は制御部４に送信されて、制御部４に設けられる記憶領域に登録されて照明部３の制御に用いられる。なお、以下に示す他の項目の設定モードにおいても同様である。
【００３２】
続いて、図７を参照しながら照度上昇速度設定部９の設定方法について説明する。図７は照度上昇速度設定モードの設定画面を示す図である。なお、図１乃至図５に記載されたものと同一部分については同一符号を付し、その構成についての説明は省略する。
点灯開始時刻繰上速度設定モード３９において照明部３の照度上昇速度を設定するには、まず、図５に示す通常モード３５が表示される状態で、処理キー２４を３回押す。この操作により、表示部１７には図７に示すような画面が表示される。なお、図７において符合「Ｘ」で示される部分には、実際には数字やアルファベットなどが表示される。
図７に示すような画面が表示された状態で、決定キー２５を１回押すと、画面上段左側の点灯モード表示部４０が点滅を開始するので、プラスキー２７又はマイナスキー２８を利用して目的とする点灯モードを選択する。
実施例１に係る光治療器１ａにおいては、例えば、光治療器１ａの使用開始時も予め設定された通りの経時照度で照明部３から光の照射を行う「固定モード」と、光治療器１ａの使用開始時には照明部３の経時照度を自動設定モード３７において設定された照度レベルよりも小さく設定しておき、以後、照明部３の点灯回数に応じて段階的に経時照度を上昇させる「自動モード」の２種類が点灯モードとして設定されており、患者（使用者）はこの２種類の点灯モードからいずれかを選択する。そして、２種類の点灯モードのうちの、「固定モード」を選択した場合には、図５に示す通常モード３５の表示画面上において照度上昇速度設定表示部３３の項目には「ＯＦＦ」が表示され、「自動モード」を選択した場合には、図５に示す通常モード３５の表示画面上の照度上昇速度設定表示部３３の項目に「ＯＮ」が表示されるよう構成してもよい。
【００３３】
再び図７の説明に戻るが、設定画面上の点灯モード表示部４０において「自動モード」を選択した場合、引き続き、照明部３の照度上昇速度に関する設定を行う必要がある。
より具体的には、点灯モードとして「自動モード」を選択した後、決定キー２５を１回押すことで、表示部１７下段の開始照度レベル表示部４２の項目が点滅を開始するので、プラスキー２７又はマイナスキー２８を操作して照明部３の点灯時の最高照度レベルを選択してから、決定キー２５を１回押して確定する。この操作の完了と同時に、今度は照度アップサイクル表示部４３の項目が点滅を開始するので、プラスキー２７又はマイナスキー２８を用いて所望の数値の入力を行った後、再度決定キー２５を１回押して選択した数値を確定する。
なお、実施例１に係る光治療器１ａでは、図７に示す設定画面において設定照度レベル表示部４１に自動設定モード３７において予め設定された照度レベルが自動的に表示され、開始照度レベル表示部４２には、自動設定モード３７において予め設定された照度レベルを超える照度レベルが設定できないよう構成されている。
また、照度アップサイクル表示部４３に入力される数値の単位は「日」であり、例えば、この照度アップサイクル表示部４３に数値の「１」を入力した場合には、１日ごと照明部３における照度が自動設定モード３７において予め設定された照度レベルに達するまで１段階ずつレベルアップすることを意味している。また、照度アップサイクル表示部４３に数値の「３」を入力した場合には、３日ごと照明部３における照度が自動設定モード３７において予め設定された照度レベルに達するまで１段階ずつレベルアップすることを意味している。
そして、経過日数４４には、照度上昇速度の設定を完了してから経過した日数が自動的に表示されることで、患者（使用者）が照明部３の経時照度の上昇の度合いを確認できるようになっている。
なお、点灯モード表示部４０において「固定モード」を選択した場合、開始照度レベル表示部４２や照度アップサイクル表示部４３を設定を行う必要がないので、固定モードを選択した後に決定キー２５を１回押すことで照度上昇速度設定モード３８の設定が完了する。
【００３４】
最後に、図８を参照しながら点灯開始時刻繰上速度設定部１０の設定方法について説明する。図８は点灯開始時刻繰上設定モードの設定画面を示す図である。なお、図１乃至図７に記載されたものと同一部分については同一符号を付し、その構成についての説明は省略する。
照明部３の点灯開始時刻繰上速度を設定するための点灯開始時刻繰上速度設定モード３９を呼び出すには、表示部１７に図５に示す通常モード３５が表示される状態で、処理キー２４を４回押せばよい。
この操作により、表示部１７には図８に示すような画面が表示される。この状態で、決定キー２５を１回押すと、点灯モード表示部４５が点滅を開始するので、プラスキー２７又はマイナスキー２８を利用して目的とする点灯モードを選択する。
実施例１に係る光治療器１ａにおいては、例えば、光治療器１ａの使用開始時に、自動設定モード３７で予め設定された点灯開始時刻通りに照明部３の点灯を開始させる「固定モード」と、光治療器１ａの使用開始時の照明部３の点灯開始時刻を自動設定モード３７で予め設定された点灯開始時刻よりも遅い時刻とし、以後照明部３の点灯回数に応じて段階的に照明部３の点灯開始時刻を繰り上げていき、自動設定モード３７において設定された点灯開始時刻に達した後は予め設定された点灯開始時刻に照明部３を点灯させる「自動モード」のいずれかを選択できるように構成されている。なお、通常使用においては、点灯回数は１日に１回カウントアップする。また、本願明細書に記載される「経過日数」と「点灯回数」は同意である。
そして、点灯モードにおいて「固定モード」を選択した場合、図５に示す通常モード３５の表示画面上において点灯速度開始時刻繰上速度設定表示部３４の項目には「ＯＦＦ」が表示され、自動モードを選択した場合にはこの項目に「ＯＮ」が表示されるよう構成してもよい。
【００３５】
再び図８の説明に戻るが、設定画面上の点灯モード表示部４５の項目において「自動モード」を選択した場合、引き続き、照明部３の点灯開始時刻繰上速度に関する設定を行う必要がある。
より具体的には、設定画面上において「自動モード」を選択した後、決定キー２５を１回押すと、表示部１７下段の点灯開始時刻表示部４７が点滅を開始するので、先に述べた手順と同じ要領で、決定キー２５やプラスキー２７及びマイナスキー２８を操作して所望の点灯開始時刻を入力した後、決定キー２５を１回押して入力した数値を確定する。この操作の完了と同時に、今度は繰上時間表示部４８が点滅を開始するので、プラスキー２７やマイナスキー２８を用いて、点灯開始時刻を繰り上げる際の具体的な繰上時間を分単位で入力する。（なお、繰上時間表示部４８における数値の入力は５分単位ごとあるいは１０分単位ごとに入力可能としてもよい。）
例えば、自動設定モード３７において照明部３の点灯開始時刻を午前４：３０分に設定した後、点灯開始時刻繰上速度設定モード３９において「自動モード」を選択し、さらに、点灯開始時刻表示部４７において光治療器１ａの使用開始時（光治療器１ａの導入時）における照明部３の点灯開始時刻を午前６：００と設定し、繰上時間表示部４８において１０（分）と設定し、繰上サイクル表示部４９の設定を１（日）とした場合、まず実施例１に係る光治療器１ａは、午前６：００に照明部３の点灯を開始し、その後、１日を経過する毎に、午前５：５０、午前５：４０、午前５：３０・・・、のように１０分ずつ照明部３の点灯開始時刻を午前４：３０分になるまで繰り上げてゆく。
なお、図８に示す点灯開始時刻繰上速度の設定画面においては、設定済点灯開始時刻表示部４６に自動設定モード３７において予め設定された点灯開始時刻が自動的に表示され、点灯開始時刻表示部４７には、自動設定モード３７において予め設定された点灯時刻よりも早い時刻を入力できないよう構成されている。
繰上時間表示部４８の入力の完了と同時に、繰上サイクル表示部４９が点滅を開始するので、プラスキー２７やマイナスキー２８を操作して所望の数値を入力した後、決定キー２５を１回押して入力した数値を確定する。なお、繰上サイクル表示部４９に入力される数値の単位は「日」である。
そして、例えば、この点灯開始時刻繰上速度設定モード３９において、繰上時間表示部４８に１０（分）、繰上サイクル表示部４９に２（日）と入力した場合には、は２日を経過するごとに１０分ずつ早く照明部３の点灯が開始されることを意味している。
さらに、表示部１７の上段右側に表示される経過日数表示部５０には、点灯開始時間繰上速度の設定を完了してから経過した日数が自動で表示されるよう設定されているので、患者（使用者）は照明部３の点灯開始時刻の繰上がり状況を確認することができる。
なお、この点灯開始時刻繰上速度設定モード３９の点灯モード表示部４５の項目において「固定モード」を選択した場合、点灯開始時刻表示部４７や繰上時間表示部４８そして繰上サイクル表示部４９の設定を行う必要はないので、「固定モード」を選択した後に決定キー２５を１回押すことで点灯開始時刻繰上速度設定モード３９の設定が完了する。
【００３６】
なお、上述の自動設定モード３７（自動点灯設定部８）、照度上昇速度設定モード３８（照度上昇速度設定部９）、点灯開始時刻繰上速度設定モード３９（点灯開始時刻繰上速度設定部１０）において入力された設定値は、制御部４に送信されて照明部３の制御に用いられる。なお、制御部４に送信された各種設定値は制御部４に設けられる記憶領域に一旦格納されてから照明部３の制御に用いられてもよい。
【００３７】
さらに、実施例１に係る光治療器１ａは、制御部４に設けられる記憶領域に照明部３の制御履歴データを読み出し可能に格納できるよう構成してもよい。この場合、照明部３の制御履歴を治療方針の変更等を検討する際の判断材料として利用することが可能になる。
なお、制御部４に格納される照明部３の制御履歴データは、表示部１７に表示することで確認可能に構成してもよいし、図２に示すように、本体部２の胴部に外部メモリ部差込口２０を形成しておき、この外部メモリ部差込口２０に外部メモリ部（図示せず）を取設して、外部メモリ部の記憶領域に書き出して例えばパーソナルコンピュータ等の外部機器により読込んで確認可能としてもよい。
【実施例２】
【００３８】
本発明の実施例２に係る光治療器について図２及び図９を参照しながら詳細に説明する。
図９は本発明の実施例２に係る光治療器のシステム構成図である。なお、図１乃至図８に記載されたものと同一部分については同一符号を付し、その構成についての説明は省略する。
実施例２に係る光治療器１ｂは、図９に示すように、実施例１に係る光治療器１ａと同じ構成に加えて、本体部２とは別に本体部２に取外し可能に設けられる外部メモリ部５１を備え、この外部メモリ部５１に記憶領域５２を設け、この記憶領域５２に自動点灯設定部８及び照度上昇速度設定部９及び点灯開始時刻繰上速度設定部１０において設定され制御部４に送信された設定値を読み出し可能に格納するよう構成したものである。
この場合、例えば、外部機器であるパーソナルコンピュータなどに実施例２に係る光治療器１ｂの各種設定値を変更可能にするソフトを予めインストールしておくことで、外部メモリ部５１を本体部２から取外して、上記ソフトがインストールされた外部機器に外部メモリ部５１を接続し、この外部機器を利用して自動点灯に関する設定値及び照度上昇速度及び点灯開始時刻繰上速度の設定及び変更を行うことが可能になる。つまり、自動点灯に関する設定値及び照度上昇速度及び点灯開始時刻繰上速度の設定及び変更作業を本体部２以外でも行うことが可能になる。
つまり、外部メモリ部５１を活用することで、光治療器１ｂの設定値のインストールを可能にしたり、逆に、光治療器１ｂに設定されている設定値を、外部メモリ５１にダウンロードすることが可能になる。さらには、外部メモリ部５１の記憶領域５２にダウンロードされた設定値に上記機能を有する外部機器を利用して変更修正を加え、再び、外部メモリ５１を通じて、光治療器１ｂに変更修正後設定値をアップロードすることができるのである。
【００３９】
実施例２に係る光治療器１ｂにおいては上述のように構成することで、光治療器１ｂの各種設定値の設定及び変更作業を、光治療器１ｂの使用者（患者）以外の第三者が、光治療器１ｂに直接触れることなく行うことが可能になるので、治療者である医師が実施例２に係る光治療器１ｂの各種設定値の変更を直接行うこともできる。この場合、実施例２に係る光治療器１ｂをより適切に治療に役立てることができるという効果を有する。
【実施例３】
【００４０】
本発明の実施例３に係る光治療器について図１０を参照しながら説明する。
図１０は本発明の実施例３に係る光治療器のシステム構成図である。なお、図１乃至図９に記載されたものと同一部分については同一符号を付し、その構成についての説明は省略する。
実施例３に係る光治療器１ｃは、実施例２に係る光治療器１ｂと同じ構成に加えて、外部メモリ部５１に照明部３の制御履歴データを読み出し可能に格納するための制御履歴データ記憶領域５３を設け、制御部４から外部メモリ部５１の制御履歴データ記憶領域５３に、照明部３の制御履歴データ、例えば、照明部３に供給された制御電流の経時変化に関するデータ等を送信して格納するよう構成したものである。
なお、制御履歴データ記憶領域５３への照明部３の制御履歴データの書き込みは、本体部２に外部メモリ部５１を取設した状態で随時行っても良いし、制御部４に設けられる記憶領域に照明部３の制御履歴データを一旦格納しておき、必要に応じて外部メモリ部５１の制御履歴データ記憶領域５３にこのデータを転送できるよう構成してもよい。
この場合、例えば、患者（使用者）が医師の診察を受ける際に、外部メモリ部５１を持参することで、医師は外部機器（例えば、パーソナルコンピュータ等）を用いて実施例３に係る光治療器１ｃの作動状況確認することができる。このため、医師は患者（使用者）の光治療器１ｃの作動状況と、患者（使用者）症状の両方を確認した上で必要に応じて実施例３に係る光治療器１ｃの各種設定値を変更し、変更の内容を実施例３に係る光治療器１ｃに直ちに反映させることが可能になる。
この場合、患者（使用者）は、実施例３に係る光治療器１ｃの各種設定値を自ら変更する必要がないので患者（使用者）の負担を大幅に軽減するとともに、実施例３に係る光治療器１ｃを用いた治療をより効果の高いものにすることができる。
また、図１０に示すように、実施例３に係る光治療器１ｃは照度計５４を備えてもよい。この照度計５４は、本体部２の表面に設けられ、光源部１１からの照度を本体部２で経時的に（例えば、１分毎に）測定し（制御部４の記憶領域や外部メモリ部５１の記憶領域に）記録（読み出し可能に保存；転送可能含む）を可能とするものである。このような照度計５４を備えることで、実際の光源部１１からの光治療のための光照射がどの程度であったかを確認可能となっている。
すなわち、たとえば患者（使用者）によって照明部３の支持アーム部２１の傾斜が不十分であったり、過度であったりすることで適切な照度が得られていないような場合において、その支持アーム部２１の傾斜の修正を医師がアドバイスすることができる。また、この照度計５４における測定データを制御部４の記憶領域の他にも外部メモリ部５１に読み出し可能に格納できるようにしたり、互いに転送可能にしておくことで、外部メモリ部５１のみを持ち出して医療機関へ出向いて医師からのアドバイスを受けたり、あるいは外部機関で治療を受けた際の照度の測定データを自宅の光治療器の制御部４へ治療履歴として転送することも可能である。
さらに、万一、他の光治療器の光源部１１との照度に関する性能に差があるような場合には、その照度測定データを用いて性能比較を行うことも可能と考えられる。
また、さらには、照明部３に供給された制御電流の経時変化（制御履歴データ）と照度計５４による計測データとを照合・解析することで、光源部１１に用いる個々の発光ダイオード（ＬＥＤ）の不具合（例えば、所定の電流は流れているが対応する所定の照度発光がなされていないという事態等）の有無の確認にも用いることができるというメリットもある。
なお、図１０においては照度計５４を本体部２の表面に備える形態としたが、照度計設置の変形例として、例えば３メートル程度の接続ケーブルの先に小さな照度センサーをつけたものを本体部２に接続する形態としてもよいし（この場合、照度センサーで者睡眠時の顔当り（いわゆる枕元）の照度値を（すなわち患者が実際にうける光の照度を直接的に）計れ、治療により有効に寄与するだろう）、照明部３（光源部１１であってもよい）の内部あるいは表面の光が当たっている部分等に設置しても良い（経時照度値の記録や読み出し方法については上述したものと同様である）。
【産業上の利用可能性】
【００４１】
以上説明したように、本発明は季節性感情障害や季節性糖尿病等の季節性障害の症状を緩和するための光療法に用いられ、患者（使用者）の使用開始時の違和感やストレスを軽減して治療の継続を容易にし、かつ、その際の装置の操作を容易にした光治療器であり、医療機器や健康器具に関する分野において利用可能である。
【符号の説明】
【００４２】
１ａ〜１ｃ…光治療器  ２…本体部  ３…照明部  ４…制御部  ５…電源スイッチ  ６…現在時刻設定部  ７…自動点灯スイッチ  ８…自動点灯設定部  ９…照度上昇速度設定部  １０…点灯開始時刻繰上速度設定部  １１…光源部  １２…制御用電源  １３…電圧設定部  １４…電流制限設定部  １５…光源用電源  １６…操作部  １７…表示部  １８…電源スイッチ  １９…自動点灯スイッチ  ２０…外部メモリ部差込口  ２１…支持アーム部  ２２…操作ボタン  ２３ａ…自動点灯モード表示灯  ２３ｂ…手動点灯モード表示灯  ２４…処理キー  ２５…決定キー  ２６…取消又は戻るキー  ２７…プラス（＋）キー  ２８…マイナス（−）キー  ２９…現在時刻表示部  ３０…照度レベル表示部  ３１…点灯開始時刻表示部  ３２…消灯時刻表示部  ３３…照度上昇速度設定表示部  ３４…点灯開始時刻繰上速度設定表示部  ３５…通常モード  ３６…現在時刻設定モード  ３７…自動設定モード  ３８…照度上昇速度設定モード  ３９…点灯開始時刻繰上速度設定モード  ４０…点灯モード表示部  ４１…設定照度レベル表示部  ４２…開始照度レベル表示部  ４３…照度アップサイクル表示部  ４４…経過日数表示部  ４５…点灯モード表示部  ４６…設定済点灯開始時刻表示部  ４７…点灯開始時刻表示部  ４８…繰上時間表示部  ４９…繰上サイクル表示部  ５０…経過日数表示部  ５１…外部メモリ部  ５２…記憶領域  ５３…制御履歴データ記憶領域  ５４…照度計
【図１】
2010220672.tif 000003
【図２】
2010220672.tif 000004
【図３】
2010220672.tif 000005
【図４】
2010220672.tif 000006
【図５】
2010220672.tif 000007
【図６】
2010220672.tif 000008
【図７】
2010220672.tif 000009
【図８】
2010220672.tif 000010
【図９】
2010220672.tif 000011
【図１０】
2010220672.tif 000012